(57)【要約】【課題】モニタ装置で表示される番組情報と連動するものの、ＯＳＤ表示される情報と異なる情報を含むこと、あるいは本体に設けられる表示装置に特有の文字列情報の表示が可能な情報記録再生装置および映像表示方法を提供する。【解決手段】この発明の実施の一形態は、本体前面パネル配置された表示部に番組情報を表示できる情報記録再生装置において、番組情報を記憶し、記憶された番組情報を読み出してＯＳＤ（画面）に表示し、ＯＳＤ（画面）表示される番組情報を検出し、番組情報を一行の文字列情報として生成し、文字列情報を本体表示としてＯＳＤ（画面）と連動して表示させる情報記録再生装置および映像表示方法を提供するものである。【選択図】図１
2010166414.tif 000002
【特許請求の範囲】
【請求項１】
コンテンツの映像を再生する第１の映像信号を出力する映像信号処理モジュールと、
前記映像信号処理モジュールが出力する前記第１の映像信号に、所定の透過率で重ねて表示する第２の映像信号を出力する第２の映像信号処理モジュールと、
「文字列情報」を表示可能な本体表示部と、
前記第２の映像信号処理モジュールが表示する前記第２の映像信号から前記本体表示部が文字列として表示すべき情報を取得する情報取得モジュールと、
前記情報取得モジュールが取得した前記本体表示部が文字列として表示すべき情報を、前記第２の映像信号処理モジュールが出力する前記第２の映像信号に連動して、前記本体表示部に表示させる文字列情報表示制御モジュールと、
を有することを特徴とする情報記録再生装置。
【請求項２】
前記情報取得モジュールが取得した前記本体表示部が文字列として表示すべき情報の表示と非表示及び表示順を設定する本体表示情報設定モジュールをさらに有することを特徴とする請求項１記載の情報記録再生装置。
【請求項３】
前記文字列情報表示制御モジュールは、前記情報取得モジュールが取得した前記本体表示部が文字列として表示すべき情報を、前記第２の映像信号処理モジュールが出力する第２の映像信号が一時的に途切れた場合においても、前記本体表示部に表示させることを特徴とする請求項１記載の情報記録再生装置。
【請求項４】
前記文字列情報表示制御モジュールは、前記情報取得モジュールが取得した前記本体表示部が文字列として表示すべき情報を、前記第２の映像信号処理モジュールが出力する第２の映像信号が一時的に途切れた場合においても、前記本体表示部に表示させることを特徴とする請求項２記載の情報記録再生装置。
【請求項５】
前記文字列情報表示制御モジュールは、前記本体表示情報設定モジュールに対する変更入力により前記情報取得モジュールが取得した前記本体表示部が文字列として表示すべき情報の表示順が変更された場合、前記本体表示情報設定モジュールによる設定状況を表示する設定画面出力において、表示する項目の表示順を変更することを特徴とする請求項２記載の情報記録再生装置。
【請求項６】
コンテンツの映像を第１の映像信号を出力し、
第１の映像信号に、所定の透過率で第２の映像信号を重ねて出力し、
第２の映像信号から本体表示部に文字列として表示すべき情報を取得し、
取得した本体表示部が文字列として表示すべき情報を、第２の映像信号に連動して、本体表示部に表示させる
ことを特徴とする映像表示方法。
【請求項７】
本体表示部が文字列として表示すべき情報の表示と非表示及び表示順を設定可能であることを特徴とする請求項６記載の映像表示方法。
【発明の詳細な説明】
【技術分野】
【０００１】
この発明は、例えばテレビジョン放送やネットワークにより提供される映像を記録し、再生する情報記録再生装置および映像表示方法に関する。
【背景技術】
【０００２】
情報記録再生装置すなわちレコーダ装置において、ビデオテープを記録媒体とした時代から、ドットマトリクス表示管やＬＥＤアレイを用い、必要最小の表示スペースで、最大の情報をレコーダ装置本体に表示する方法が広く用いられている。
【０００３】
しかしながら、ＯＳＤ（On Screen Display）技術の普及に伴い、例えば録画予約の登録においては、モニタ装置（テレビジョン装置）に表示された録画予約画面上で、対象のチャンネル、曜日、開始時刻、終了時刻、録画モード等を、カーソルの移動（入力対象項目の選択）と決定（ＯＫ）ボタン等の操作により容易に登録可能である。
【０００４】
このような背景から、今日では、レコーダ装置本体に設けられる本体表示部が表示する情報は、比較的限られた情報に遷移している。
【０００５】
反面、モニタ装置（ディスプレイ装置）の大型化に伴い、レコーダ装置は、モニタ装置から比較的距離を置いて設置されることも少なくない。また、レコーダ装置に比較的近接した位置で番組を視聴するユーザにとっては、「番組情報」等の番組に付属する情報は、レコーダ装置本体で表示するほうが見やすいこともある。
【０００６】
特許文献１（先行技術文献）には、本体ＬＣＤを備えているデジタルカメラにおいて、撮影記録した画像データを、本体ＬＣＤと外部に接続したモニタにおいて同時表示させる場合に、何れの表示画面に対してもその双方の有効表示範囲に合わせた状態にして、画像データを表示させることが開示されている。
【先行技術文献】
【特許文献】
【０００７】
【特許文献１】特開２００６−２５３８２８号公報、段落［００１３］，［００１４］、図１、図２
【発明の概要】
【発明が解決しようとする課題】
【０００８】
特許文献１（先行技術文献）に示された技術は、本体ＬＣＤに表示される画像データを外部出力として出力するものであり、本体ＬＣＤに表示される文字列情報とモニタ装置に出力される文字列情報とは、当然同一である。すなわち、特許文献１には、例えばモニタ装置にＯＳＤ表示される番組情報とレコーダ装置本体の本体表示部に表示される文字列情報が実質的に同一であるものの、レコーダ装置本体が表示する文字列情報がモニタ装置で表示される番組情報と連動するが、異なる情報を表示できることは示されていない。
【０００９】
この発明の目的は、ＯＳＤ表示が可能な情報記録再生装置の本体に設けられる表示装置において、ＯＳＤ表示される情報と実質的に同一で、モニタ装置で表示される番組情報と連動するものの、ＯＳＤ表示される情報と異なる情報を含むこと、あるいは本体に設けられる表示装置に特有の文字列情報の表示が可能な情報記録再生装置および映像表示方法を提供することである。
【課題を解決するための手段】
【００１０】
この発明は、上記問題点に基づきなされたもので、コンテンツの映像を再生する第１の映像信号を出力する映像信号処理モジュールと、前記映像信号処理モジュールが出力する前記第１の映像信号に、所定の透過率で重ねて表示する第２の映像信号を出力する第２の映像信号処理モジュールと、「文字列情報」を表示可能な本体表示部と、前記第２の映像信号処理モジュールが表示する前記第２の映像信号から前記本体表示部が文字列として表示すべき情報を取得する情報取得モジュールと、前記情報取得モジュールが取得した前記本体表示部が文字列として表示すべき情報を、前記第２の映像信号処理モジュールが出力する前記第２の映像信号に連動して、前記本体表示部に表示させる文字列情報表示制御モジュールと、を有することを特徴とする情報記録再生装置を提供するものである。
【発明の効果】
【００１１】
この発明の一つの実施の形態によれば、モニタ装置が表示する映像と重ね合わせられるＯＳＤ表示により表示される情報とは独立に、ＯＳＤ表示の情報と実質的に同一、もしくは独立した情報を、ＯＳＤ表示に連動して情報記録再生装置側の表示装置に表示することができる。
【００１２】
また、情報記録再生装置側の表示装置が表示する情報は、ユーザが任意に設定（選択）可能であり、必要ないとユーザが判断した情報は、表示を省略することができる。なお、情報記録再生装置側の表示装置が表示する情報は、ＯＳＤ表示に連動するが、装置の動作状態や残り録画（記録）可能時間等の情報を含むことが可能であり、ユーザが必要とする情報は、積極的に表示を継続することができる。
【００１３】
さらに、情報記録再生装置側の表示装置が表示する情報は、ＣＭ等によりＯＳＤ表示が中断された状態においても表示可能であり、例えば番組がＣＭに移行した時点から視聴を始めたユーザに、現在表示中の「番組名」・「出演者」の情報を、効率よく知らせることができる。
【図面の簡単な説明】
【００１４】
【図１】この発明の実施の形態が適要される情報記録再生装置の一例を示す概略図。
【図２】図１に示した情報記録再生装置から出力される映像表示出力の一例を説明する概略図。
【図３】図１に示した情報記録再生装置の本体表示部を示す概略図。
【図４】図３に示した本体表示部の一行表示部に表示される表示例を説明する概略図。
【図５】図１に示した情報記録再生装置への制御信号の入力に利用されるリモート端末の一例を示す概略図。
【図６】図３に示した本体表示部の一行表示部への「文字列情報」の表示設定画面の表示例の一例を説明する概略図。
【図７】図３に示した本体表示部の一行表示部への「文字列情報」の表示設定画面の表示例の一例を説明する概略図。
【図８】図３に示した本体表示部の一行表示部への「文字列情報」の表示設定画面の表示例の一例を説明する概略図。
【図９】図３に示した本体表示部の一行表示部に表示される表示例を説明する概略図。
【図１０】図３に示した本体表示部の一行表示部に残り記録容量を表示する例を説明する概略図。
【発明を実施するための形態】
【００１５】
以下、図面を参照して、本発明の実施の一形態について説明する。
【００１６】
図１は、本発明の実施の形態が適用可能な情報記録再生装置（レコーダ装置）の一例を示す。なお、以下に説明する各要素において、「モジュール」と呼称する要素は、ハードウエアで実現するものであってもよいし、ＣＰＵ（マイクロコンピュータ）等を用いて、ソフトウエアで実現するものであってもよい。
【００１７】
情報記録再生装置１は、アンテナを介して取得可能な番組を選局して受信するチューナ３、チューナ３により受信した番組から番組情報を取得し、ユーザが要求する情報を表示するための制御を実行する主制御モジュール（主制御ブロック）５、チューナ３により受信した番組を外部装置として接続される映像表示装置（モニタ装置）１０１が表示可能に処理するとともに、ユーザからの要求がある場合に、後段に説明する記録ユニットに記録（録画）させる録画再生信号処理モジュール７を含む。なお、モニタ装置１０１は、例えばアスペクト（横方向画面長対縦方向画面長）比が、１６：９のフルハイビジョン（フルＨＤ）と呼称される、水平方向に１９２０画素で垂直方向に１０８０画素のデジタル放送を表示可能である。
【００１８】
主制御モジュール５は、ユーザの直接操作を受けつけるユーザ操作入力部１１、放送局（配信局）あるいはサーバから電子番組表（ＥＰＧ）情報を取得するネットワークコントローラ１３、リモート端末（リモコン）１７によるユーザ操作を受けつけるリモコン受信部１５、及び主制御モジュール５が保持する番組情報や（情報記録再生装置１の）現在の動作状態等を表示する本体表示部１９と相互に接続している。なお、主制御モジュール５には、メモリモジュール９も接続される。
【００１９】
チューナ３は、図示しない衛星用アンテナにより受信した衛星放送の任意のチャンネルを選局する。同様に、図示しない地上波アンテナにより受信した地上デジタル放送あるいは地上アナログ放送の任意のチャンネルを選局する。なお、今日、衛星放送向け、地上波向けに、それぞれ、２以上のチューナが用意される場合もあり、複数チャンネルの番組が選局できる場合もある。また、複数のチューナモジュールが一体化されたマルチチューナが搭載されている場合も、同様に複数チャンネルの番組を選択可能である。
【００２０】
すなわち、チューナ３は、地上アナログ／地上デジタル等に代表される任意形式の公衆向け放送や、放送衛星を介して供給される公衆向け衛星放送波の任意のチャンネルの番組（コンテンツ）を受信可能で、例えば、ＴＳ（Transport stream，以降“ＴＳ”と呼称する）形式であるデジタル放送を受信できる。なお、チューナ３は、例えば光ケーブル等を介して、プロバイダあるいは配信局（地域ネットワーク基地局）等から供給される限定的なコンテンツも受信可能である。
【００２１】
主制御モジュール５は、詳述しないが、ＣＰＵ（Central processing unit）またはＭＰＵ（Main processing unit）と、番組情報取得／記憶モジュール５ａ、番組情報ＯＳＤ（On Screen Display）画像生成モジュール５ｂ、ＯＳＤ表示番組情報検出モジュール５ｃ、本体表示情報設定モジュール５ｄ、及びＯＳＤ表示・本体表示連動制御モジュール５ｅを含み、図２を用いて一例（表示例）を示すが、モニタ装置１０１に半透過状態で表示される、例えば「番組説明」画面に表示される内容を、本体表示部１９に「文字列情報」として表示することができる。なお、本体表示部１９は、図３を用いて以下に説明するが、「文字列情報」の表示領域が１列（１行）であるため、表示すべき「文字列情報」の文字数が本体表示部１９の表示可能な文字数を越える場合は、スクロール等の手法により、順次、後続の文字列情報が表示されるものとする。また、図示しないが、表示すべき「文字列情報」が、例えば数字とアルファベットに限られるような場合には、２列（２行）以上としてもよいことはいうまでもない。
【００２２】
番組情報取得／記憶モジュール５ａは、チューナ３により選局した任意のチャンネルの番組について、その番組の映像及びオーディオデータに付属する、または電子番組表向けに提供される「番組情報」を取得し、主電源がオフされるまでの間、保持（記憶）する。なお、「番組情報」は、ネットワークコントローラ１３を介して、配信局あるいはサーバから取得することも可能である。
【００２３】
番組情報ＯＳＤ画像生成モジュール５ｂは、番組情報取得／記憶モジュール５ａが取得した「番組情報」を、表示出力画像として用意されている出力映像信号に、所定の透過率で、半透過状態で重ね合わせて表示するための「番組情報表示信号（第２の映像信号）」を生成する。
【００２４】
ＯＳＤ表示番組情報検出モジュール５ｃは、番組情報ＯＳＤ画像生成モジュール５ｂにおいて、ＯＳＤ表示信号（第２の映像信号）すなわち「番組情報表示信号」から「番組情報」のうちの特定の「文字列情報」を抽出する。なお、「番組情報」は、番組情報取得／記憶モジュール５ａにおいて取得済みであるが、番組情報ＯＳＤ画像生成モジュール５ｂが生成する「番組情報表示信号（第２の映像信号）」から「文字列情報」を抽出することにより、モニタ装置１０１に表示される『番組情報表示』の表示内容に同期した「文字列情報」を表示させることができる。
【００２５】
本体表示情報設定モジュール５ｄは、ＯＳＤ表示番組情報検出モジュール５ｃが「番組情報表示信号（第２の映像信号）」から抽出した「文字列情報」に基づいて、図３により以下に説明する本体表示部１９が１行（１列）で表示すべき「文字列情報」を、本体表示部１９の表示能力（表示環境）に合わせて、設定する。
【００２６】
一例としては、スクロールが必要である場合に、スクロールの際の文字列情報毎の間隔（インターバル）が設定される。また、例えば「出演者」等の文字列情報として表示することを省略可能な文字列を省略した本体表示用「文字列」、あるいは「番組情報」には含まれていないが、例えば「ｃｈ（チャンネル）または放送局名」、もしくは録画中である場合の「転送レート」等の本体表示用として用意すべき特定の「文字列」が追加される。
【００２７】
ＯＳＤ表示・本体表示連動制御モジュール５ｅは、本体表示情報設定モジュール５ｄにおいて用意された本体表示用「文字列情報」と、番組情報ＯＳＤ画像生成モジュール５ｂにおいて生成された第２の映像信号すなわち「番組情報表示信号」との連動表示を制御する。例えば、現在用意されている「番組情報表示信号」に該当する番組が終了した場合、本体表示用「文字列」表示の出力も停止（終了）される。一方で、現在の「ｃｈ（チャンネル）」の番組が、ＣＭ（コマーシャル）に移行したような場合、本体表示においては、現在の番組に対する本体表示用「文字列」を、繰り返し表示する。例えば、スクロール中の「文字列」のスクロールの程度を高める（表示速度）を高めることも可能である。これにより、例えばＣＭに移行した時点から視聴を始めたユーザに、現在表示中の「ｃｈ」や「番組名」・「出演者」の情報を、短時間で提供できる。
【００２８】
また、主制御モジュール５は、ＯＳＤ（On Screen Display）表示モジュール２１に対して、例えばユーザ操作入力部１１あるいはリモートコントロール受信部１５を介して入力された操作情報や選択されたチャンネル、もしくはダビング指示に対応する選択画面や操作画面等であり、所定の透過率のＯＳＤ表示（画像）を、出力させる。なお、ＯＳＤ表示の透過率は、パラメータ（αブレンディング）が設定されることで、通常の映像表示上に、薄い「半透明」状態〜濃い「半透明」状態で、通常の映像信号（再生番組の本来の濃度の映像信号）に重ね合わせられる。すなわち、ＯＳＤモジュール２１から出力されるＯＳＤ表示信号は、再生映像があたかも背景画像となるように、再生映像の一部を透過するよう、合成モジュール２３により、再生映像信号に重ねて出力される。
【００２９】
録画再生信号処理モジュール７は、詳述しないが、ビデオエンコーダモジュール、ビデオデコーダモジュール、オーディオエンコーダモジュール、及びオーディオデコーダモジュール等、を少なくとも含む。
【００３０】
録画再生信号処理モジュール７にはまた、例えばＤＶＤ規格や、ＤＶＤ規格に比較してより記録密度が高められた光ディスク（着脱可能な情報記録媒体）Ｄがセットされることで、光ディスクＤに収容されている情報を再生し、あるいはハードディスクドライブ（ＨＤＤ）２５や、チューナ３から供給される番組すなわち映像データ及びオーディオデータが記録可能なディスクドライブ装置２７が接続されている。ＨＤＤ（ハードディスクドライブ）２５は、例えば２５０〜１０００Ｇバイトの記録容量が与えられた書き換え可能な大容量記録装置であって、記録レートを変えることにより、最大で１０００時間程度の映像データおよびオーディオデータが記録可能である。なお、ＨＤＤ２５に保持されているタイトル（コンテンツ）は、詳述しないが、家庭内ネットワークやサーバに接続されている他の情報記録再生装置のハードディスク装置（ＨＤＤ−ｘ）や、情報記録再生装置１に増設されたハードディスク装置（増設ＨＤＤ）であってもよいことはいうまでもない。
【００３１】
従って、ＯＳＤモジュール２１からの出力が重ね合わせられる再生映像は、チューナ３により選局された任意の「ｃｈ」の番組に加え、光ディスクＤあるいはＨＤＤ２５が保持する番組（コンテンツ）であってもよい。この場合、本体表示部１９が表示する「番組情報」は、例えば光ディスクＤあるいはＨＤＤ２５が保持する番組（コンテンツ）に付属する映像情報（録画日時、「ｃｈ」）あるいは録画時の記録レート等も含む。
【００３２】
メモリモジュール９は、詳述しないが、ワークメモリとして機能するメインメモリ（ＳＤＲＡＭ）、主制御モジュール５や情報記録再生装置１の任意の要素を動作させるためのプログラムを保持したＲＯＭ、および詳述しないダビング予約制御部において予約された予約日時、録画／ダビング種別、長さ（開始時間／終了時間）、チャンネル（ｃｈ）、レート等の情報を保持する不揮発性メモリ（ＮＶＭ）等を含む。なお、メモリモジュール９は、番組情報取得／記憶モジュール５ａが記憶する「文字列情報」を保持することも可能である。
【００３３】
ユーザ操作入力部１１は、図示しないが、情報記録再生装置１本体に設けられている操作ボタン群により直接指示される（ユーザからの）操作入力を受け付ける。例えば、情報記録再生装置１本体に通常設けられている再生（ＰＬＡＹ）ボタンによる再生指示や録画（ＲＥＣ）ボタンによる録画指示が、ユーザ操作入力部１１により入力可能である。
【００３４】
リモコン受信部１５は、リモコン端末１７を介してユーザから指示される制御情報、例えばチューナ３あるいはネットワークコントローラ１３を経由して受信（取得）すべき放送波／入力の選択や、録画再生信号処理モジュール７による録画処理、ならびに光ディスクドライブ装置２７にセットされた光ディスクＤへのダビング（あるいはムーブ）すべきコンテンツ（タイトル）を決定する、等のユーザ操作を受け付ける。
【００３５】
本体表示部１９は、図３に一例を示す通り、１文字の表示エリアが、例えば２０×２０に設定された任意文字分のマトリクス表示領域と、「月」〜「日」の曜日表示、時刻（現在時刻・予約開始時刻・予約終了時刻）、地上波デジタル放送を受信中であることを示す「地デジ」表示、衛星すなわちＢＳ（Broadcasting Satellite，放送衛星による）放送あるいはＣＳ（Communication Satellite，通信衛星を用いて中継された）放送を受信中であることを示す「ＢＳ」・「ＣＳ」表示領域、もしくはＨＤＤ２５の動作状態（録画中・再生中・再生同時録画中）等、を表示可能な表示領域が用意されたＬＣＤあるいは表示管を含む。なお、本体表示部１９においては、少なくとも「文字列情報」を表示可能な文字表示領域が、残りの表示領域に対して独立した『１行』として用意されていることを特徴とする。
【００３６】
図２は、図１に示した情報記録再生装置と接続されたモニタ装置に、ＯＳＤ処理により「番組情報」が表示された状態を示す。
【００３７】
図２から、「番組情報」として、    
（ア）はなまるバスケット［番組名］    
（イ）暮らしに役立つ情報満載！  〜  旬の食材や絶品レシピ  〜  健康やお金の知恵  〜  生活の裏技などが登場します［サブタイトル］    
（ウ）はなまるカフェ［ゲストを招いたサブコーナー名］    
（エ）○○久美子、□□裕美、△△桃子［出演者名／ゲスト］    
（オ）ＴＢＣ［ｃｈ（放送局）名］    
（カ）ステレオ［音声放送の分類］    
（キ）ＨＤ［放送信号の分類］    
（ク）１６：９［放送画面の分類］    
（ケ）ワイドショー全種［大分類／ジャンル］    
（コ）日時・曜日［記録時情報］    
等、がＯＳＤ表示されていることが認められる。
【００３８】
図３は、図１に示した情報記録再生装置の本体表示部の表示領域の一例を示す。なお、多くの場合、本体表示部は、前面パネルの概ね中央付近に位置されるが、前面パネルが開閉式で、開放状態で視認可能となる場合もある。
【００３９】
図４（ａ）〜図４（ｆ）は、図３に示した本体表示部を抜き出して説明するとともに、独立して設けられる『１行』表示領域に任意の表示（「文字列情報」）が表示された状態を示す。
【００４０】
なお、図４（ａ）は、図２に示した「番組情報」のうちの（カ）・（キ）・（ク）が、右から左へ『スクロール』される状態を、図４（ｂ）は、同「番組情報」のうちの（ケ）が表示された状態を、それぞれ示す。また、図４（ｃ）は、図「番組情報」のうちの（オ）すなわち［ｃｈ（放送局）名］を、図４（ｄ）は、同「番組情報」のうちの（ア）すなわち［番組名］が表示された状態を、それぞれ示す。なお、図４（ｆ）は、同「番組情報」のうちの（イ）すなわち［サブタイトル］が、右から左へ『スクロール』される状態を示す。
【００４１】
本体表示部１９に表示される情報は、図５に一例を示すリモコン端末１７のスタートメニューボタン１７ａにより、設定モードを選択することで設定ができる。
【００４２】
設定には、図２及び図４（ａ）〜図４（ｆ）により一例を説明した「番組情報」すなわち、放送局すなわち［ｃｈ（放送局）名］、放送時間すなわち［記録時情報］、番組名すなわち［番組名］、番組情報すなわち［サブタイトル］、ジャンルすなわち［大分類／ジャンル］、映像・音声の表示すなわち［音声放送の分類］・［放送信号の分類］・［放送画面の分類］に代表される項目のそれぞれの表示順、または非表示（表示しない）を指定することができる。
【００４３】
実際の表示は、（設定モードが設定されている状態で、）スタートメニューボタン１７ａがオンされる毎に、図６に示すように、「表示」欄が、表示１［放送局］→表示２［放送時間］→表示３［番組名］→表示４［番組情報］→表示５［ジャンル］・・・の順に、選択される。
【００４４】
なお、表示できる項目の例としては、図２に示したモニタ装置側の表示に従い、    
［表示順］    
１．放送局      ：  ＴＢＣ    
２．放送時間    ：  ８：００〜９：５５    
３．番組名      ：  はなまるバスケット    
４．番組情報    ：  暮らしに・・・技などが登場します    
５．ジャンル    ：  情報ワイドショー全種    
・．（任意項目）：      
・．（任意項目）：      
ｎ．（任意項目）：      
を設定することができる。
【００４５】
また、［表示順］において、『なし』が選択された場合、その項目が表示されないことはいうまでもない。
【００４６】
より詳細には、図６および図７に示す手順に従い、図４（ａ）〜図４（ｆ）に表示例の一例を示した『１行』表示領域に表示する任意の表示（「文字列情報」）の内容を変更することができる。
【００４７】
例えば、図６に示すように、図２により説明した「番組情報」のうちの    
（ア）すなわち［番組名］、    
（イ）すなわち［サブタイトル］、    
（オ）すなわち［ｃｈ（放送局）名］、    
（カ）すなわち［音声放送の分類］］、    
（キ）すなわち［放送信号の分類］、    
（ク）すなわち［放送画面の分類］及び    
（ケ）すなわち［ジャンル］    
の項目が選択されている状態であって、    
（カ）＝［音声放送の分類］、    
（キ）＝［放送信号の分類］及び    
（ク）＝［放送画面の分類］    
の表示について『表示しない』が選択されている場合（図６）において、図７に示すように、さらに（ケ）すなわち［ジャンル］の表示を『表示しない』に変更する場合、図６における「表示」欄６−１において、［ジャンル］表示６−１５に、図５に示したリモコン端末のカーソル（トグル）キー１７−１の操作により『フォーカス』を当てると、「設定」欄６−２の［ジャンル］表示６−１５に対応する『表示する』表示６−２５が『表示しない』に変更される。
【００４８】
ここで、リモコン端末１７の決定ボタン１７−２がオンされると、［ジャンル］表示６−１５に対応する『表示する』表示６−２５が『表示しない』表示に固定される。なお、各設定欄の表示は、図６及び図７の例では、リモコン端末１７のカーソル（トグル）キー１７−１の上向き矢印１７−１１と下向き矢印１７−２が操作されるたびに『表示する』と『表示しない』が交互に設定されるものとする。
【００４９】
また、図７に一例を示すが、『表示しない』が選択された表示項目については、「表示順」欄６−３の表示が『−』に変更されるものとする（「表示欄」表示６−３５，６−３６参照）。
【００５０】
なお、「表示順」欄６−３において、表示順を示す数字に、図５に示したリモコン端末のカーソル（トグル）キー１７−１の操作により『フォーカス』が当てられると、リモコン端末１７のカーソル（トグル）キー１７−１の上向き矢印１７−１１と下向き矢印１７−２が操作されるたびに、『１』〜『６』の数字（表示順位）が順に設定されるものとする。
【００５１】
例えば、図７に示したように、「表示順」欄６−３において、「表示順」が『３』から『２』に変更された［番組名］表示は、「表示」欄６−１３から「表示」欄６−１２に変更される。この場合、「表示順」が『２』であった［番組情報］表示は、「表示」欄６−１３に表示され、併せて、「表示順」が『３』に変更される。
【００５２】
なお、「設定」欄６−２の『表示する』と『表示しない』との設定変更については、例えば図８に一例を示すが、対象となる項目について設定変更を受けつける設定変更画面８−１が新たに表示されることにより、『表示する』と『表示しない』との設定を変更することも可能である。
【００５３】
また、いずれの項目についても、情報が取得できない場合には、『−−』表示を表示することが好ましい。なお、対象の項目について、何も表示しない（ブランク）とすることも可能である。
【００５４】
図９は、モニタ装置にＯＳＤ表示される「番組情報」を消去した状態を示す。
【００５５】
すなわち、画面表示９０１において「番組情報」が表示されていない状態であっても、情報記録再生装置１の本体表示部１９の『１行』表示領域に、図４（ａ）〜図４（ｆ）に示したように、（図２に示した「番組情報」のうちの予め設定した）任意の表示（「文字列情報」）を表示するものとする。
【００５６】
これにより、モニタ装置への「番組情報」の表示を消去した状態においても、本体表示部の『１行』表示領域に、「番組情報」が常時表示される。従って、ユーザは、現在視聴中の番組のタイトルや内容（概要）、あるいは放送時間（多くの場合には、番組が何時終わるか、を確認する手段としての利用が最も多いと予測され、開始時間よりも終了時間が重要視される）等を、モニタ装置側への表示を必要とせずに、容易に確認することができる。すなわち、ＣＭ等により、モニタ装置１０１側のＯＳＤ表示が中断された状態においても本体表示部１９に、「番組情報」が表示可能であり、例えば番組がＣＭに移行した時点から視聴を始めたユーザに、現在表示中の「番組名」・「出演者」の情報を、効率よく知らせることができる。
【００５７】
なお、図１０（ａ）〜図１０（ｄ）に一例を示すが、本体表示部１９の『１行』表示領域に表示することが好ましい情報としては、ＨＤＤ２５や光ディスクＤに情報を記録可能な『残り記録可能時間（容量）』がある。また、記録可能時間は、記録レート（モード）によって異なるため、表示する「文字列情報」としては、図示する通り、“ＴＳ”や“ＲＥ”という「モード」も併せて表示することが好ましい。
【００５８】
また、リモコン端末１７の切り替えボタン１７ｂがオンされる毎に、「ＨＤＤ」と「光ディスク（ＤＶＤ）」の『残り記録可能時間（容量）』が交互に表示されるものとする。なお、残量情報の表示が選択されていない場合には、『−−』表示が表示される。
【００５９】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００６０】
１…レコーダ装置（情報記録再生装置）、３…チューナ、５…主制御ブロック（主制御モジュール）、５ａ…番組情報取得／記憶モジュール、５ｂ…番組情報ＯＳＤ（On Screen Display）画像生成モジュール、５ｃ…ＯＳＤ表示番組情報検出モジュール、５ｄ…本体表示情報設定モジュール、５ｅ…ＯＳＤ表示・本体表示連動制御モジュール、７…録画再生信号処理モジュール、９…メモリモジュール、１１…ユーザ操作入力部、１３…ネットワークコントローラ、１５…リモコン受信部、１７…リモート端末（リモコン）、１９…本体表示部、２１…ＯＳＤモジュール、２３…合成モジュール、２５…ＨＤＤ（ハードディスクドライブ装置）、２７…光ディスクドライブ装置、１０１…モニタ装置。
【図１】
2010166414.tif 000003
【図２】
2010166414.tif 000004
【図３】
2010166414.tif 000005
【図４】
2010166414.tif 000006
【図５】
2010166414.tif 000007
【図６】
2010166414.tif 000008
【図７】
2010166414.tif 000009
【図８】
2010166414.tif 000010
【図９】
2010166414.tif 000011
【図１０】
2010166414.tif 000012